(57)【要約】【課題】消灯後等の暗転時においても配線器具の位置を容易に把握することができ、暗闇での標識機能を果たすことができ、暗闇で移動する際の安全性を高めることができ、また、暗転時における設置空間の装飾性を高めることができ、省エネにも寄与することのできる配線器具用プレートを提供すること。【解決手段】埋込型配線器具の機能面を露出させる開口窓２を有し、埋込型配線器具の埋込穴の開口面側を覆うプレート体３を含んで構成される配線器具用プレート１であって、プレート体３の樹脂部３ａ表面に、畜光性材料を含む塗膜層４が形成されている。【選択図】  図１
0003166058.tif 000002
【実用新案登録請求の範囲】
【請求項１】
埋込型配線器具の機能面を露出させる１乃至複数の開口窓を有し、前記埋込型配線器具の埋込孔の開口面側を覆うプレート体を含んで構成される配線器具用プレートであって、
前記プレート体の表面に、畜光性材料を含む塗膜層が形成されていることを特徴とする配線器具用プレート。
【請求項２】
埋込型配線器具の機能面を露出させる１乃至複数の開口窓を有し、前記埋込型配線器具の埋込孔の開口面側を覆うプレート体を含んで構成される配線器具用プレートであって、
前記プレート体が、畜光性材料を含む樹脂、陶器、又はガラスで形成されていることを特徴とする配線器具用プレート。
【請求項３】
前記畜光性材料に、蛍光材料又はパステルカラーの着色材料がさらに添加されていることを特徴とする請求項１又は請求項２記載の配線器具用プレート。
【考案の詳細な説明】
【技術分野】
【０００１】
本考案は配線器具用プレートに関し、より詳細には、コンセントやスイッチなどの埋込型配線器具を壁面等に見栄え良く埋込配設するための配線器具用プレートに関する。
【背景技術】
【０００２】
従来より、壁面等の施工面に設けた埋込孔に、コンセントやスイッチ等の配線器具が取り付けられた取付枠を配設し、さらに配線器具の機能面を露出させる１乃至複数の開口窓を有したプレート体を前記取付枠の前面に取り付け、該取付枠の前面を前記プレート体で覆うようにすることで、配線器具を壁面等に見栄え良く埋込配設することのできる配線器具用プレート（フラッシュプレートとも言う）が利用されている。
【０００３】
この種の配線器具用プレートには、コンセントの口数、スイッチの大きさ、配線器具の種類やその組合せ等に応じた様々な形態のものが知られているが、配線器具を設置する壁面の色調と同調させて、なるべく目立たないようにしたものが一般的であり、室内空間の装飾性を一風変わった感じで高めたいという要望に応えるものがなかった。
【０００４】
また、従来の埋設型のコンセントの場合、消灯後等の暗転時においては、プラグ先端部の差し込み口の位置が非常に分かりにくく、暗闇の中でコンセントにプラグを挿し込むことは容易ではなく、再度、室内に灯りをつける等の手間がかかるとともに、再点灯のための無駄な電力を消費してしまうという課題があった。
【０００５】
また一方で、埋込型のスイッチの場合、暗転時においてもスイッチの位置が分かるように、スイッチ部分に小さなランプが内蔵された蛍スイッチというものが知られているが、この蛍スイッチは、僅かながら常時電力を消費しており、省エネの面で課題が残るとともに、蛍スイッチのランプは小さく、暗転時における室内空間の装飾性が高められるものではなかった。
【考案の概要】
【課題を解決するための手段及びその効果】
【０００６】
本考案は上記課題に鑑みなされたものであって、消灯後等の暗転時においてもスイッチやコンセント等の配線器具の位置を容易に把握することができ、暗闇での標識機能を果たすことができ、暗闇で移動する際の安全性を高めることができ、また、暗転時における設置空間の装飾性を高めることができ、また、暗転時のみではなく、昼光下における設置空間の装飾性や視認性を高めることができ、省エネにも寄与することのできる配線器具用プレートを提供することを目的としている。
【０００７】
上記目的を達成するために本考案に係る配線器具用プレート（１）は、埋込型配線器具の機能面を露出させる１乃至複数の開口窓を有し、前記埋込型配線器具の埋込孔の開口面側を覆うプレート体を含んで構成される配線器具用プレートであって、前記プレート体の表面に、畜光性材料を含む塗膜層が形成されていることを特徴としている。
【０００８】
上記配線器具用プレート（１）によれば、前記プレート体の表面に、畜光性材料を含む塗膜層が形成されているので、消灯後等の暗転時において、前記プレート体が鮮やかに光る。そのため、暗転時においてもスイッチやコンセント等の配線器具の位置を容易に把握することができ、暗闇の中でも、コンセントにプラグを簡単且つ安全に差し込むことができるようになる。
また、暗闇での標識機能を果たすことができ、家屋や各種公共施設等において暗闇で移動する際の安全性を高めることができる。例えば、廊下や階段部分に設置される配線器具に適用すれば、電気を使うことなく、フットライトや常夜灯等の代わりとしての機能を果たすことができ、省エネにも寄与することができる。
また、消灯後等の暗転時において、前記プレート体が鮮やかに光るので、イルミネーション的な効果を演出することができ、設置空間の装飾性をビジュアル的に高めることができる。
【０００９】
なお、畜光性材料とは、畜光顔料（アルミナ系酸化物の無機顔料等）の働きにより、太陽光や蛍光灯などの外部光を蓄えて発光する畜光塗料を含む概念である。また、前記配線器具における機能面とは、たとえば配線器具がコンセントであればプラグの刃を差し込む差込口を設けている面を意味し、配線器具がスイッチであればスイッチを開閉させる操作を行う操作ハンドルを意味する。
【００１０】
また本考案に係る配線器具用プレート（２）は、埋込型配線器具の機能面を露出させる１乃至複数の開口窓を有し、前記埋込型配線器具の埋込孔の開口面側を覆うプレート体を含んで構成される配線器具用プレートであって、前記プレート体が、畜光性材料を含む樹脂、陶器、又はガラスで形成されていることを特徴としている。
上記配線器具用プレート（２）によれば、前記プレート体が、畜光性材料を含む樹脂（合成樹脂等の各種汎用プラスチックを含む）、陶器、又はガラスで形成されているので、消灯後等の暗転時において、前記プレート体が鮮やかに光る。そのため、上記配線器具用プレート（１）と同様の効果を得ることができる。また、前記畜光性材料を含む陶器、又はガラスで前記プレート体を形成すれば、光沢感や質感が増し、高級感を呈するものとすることができる。
【００１１】
また本考案に係る配線器具用プレート（３）は、上記配線器具用プレート（１）又は（２）において、前記畜光性材料に、蛍光材料又はパステルカラーの着色材料が添加されていることを特徴としている。
上記配線器具用プレート（３）によれば、前記畜光性材料に、蛍光材料（蛍光染料や蛍光顔料）又はパステルカラーの着色材料（染料や顔料）がさらに添加されているので、昼光下においては、鮮やかな蛍光色又は明るいパステルカラー（原色ではなく、淡い、やわらかい中間色）を呈すことにより、暗転時のみでなく、昼光下においてもビジュアル的な効果を演出することができ、設置空間の装飾性や配線器具の視認性を高めることができる。
【図面の簡単な説明】
【００１２】
【図１】本考案の実施の形態（１）に係る配線器具プレートを示した図であり、（ａ）は一部破断して示す正面図、（ｂ）は（ａ）におけるｂ−ｂ線断面図である。
【図２】実施の形態（２）に係る配線器具プレートを示した図であり、（ａ）は正面図、（ｂ）は（ａ）におけるｂ−ｂ線断面図である。
【考案を実施するための形態】
【００１３】
以下、本考案に係る配線器具用プレートの実施の形態を図面に基づいて説明する。図１は、実施の形態（１）に係る配線器具用プレートを示した図であり、（ａ）は一部破断して示す正面図、（ｂ）は（ａ）におけるｂ−ｂ線断面図である。
【００１４】
図中１は、室内の壁面に配設される埋込型コンセントの配線器具用プレートを示しており、配線器具用プレート１は、埋込型コンセント（図示せず）の機能面（プラグの差し込み口面）を露出させる開口窓２を有し、壁面に設けられた埋込型コンセント用の埋込孔の開口面側を覆うプレート体３で構成されている。
【００１５】
プレート体３は、前記埋込孔に設置された、コンセントが取り付けられた取付枠（図示せず）の前面側に取り付けられ、前記埋込孔の開口面側を覆うようになっている。なお、プレート体３の埋込孔の開口面側への取り付けは、例えば、プレート体３の内側面に突設された係止爪（図示せず）を、前記埋込孔の開口部に配設されたプレート枠の係止爪受け部に係止させて取り付ける構成や、プレート体３に図示しないビス孔を設けて、該ビス孔に挿着したビスの先端側を、前記取付枠に螺着する構成とすることができ、プレート体３の前記取付枠前面への取り付け形態は特に限定されない。
【００１６】
プレート体３は、合成樹脂などの各種の汎用プラスチックにより外形が略矩形形状に形成されており、樹脂部３ａの表面に畜光性材料を含む塗膜層４が形成されている。畜光性材料には、畜光顔料（アルミナ系酸化物の無機顔料等）の働きにより、太陽光や蛍光灯などの外部光を蓄えて発光する畜光塗料が採用され、このような畜光塗料が塗布されて、塗膜層４が形成されている。畜光性材料には、暗転時における発光時間が長い特性のもの（一晩中（６〜８時間程度）発光できる特性のもの）を採用することが好ましい。
【００１７】
また、畜光塗料の色は、特に限定されるものではないが、昼光下におけるビジュアル的な効果を演出するために、前記畜光性材料に、黄色やオレンジ等の蛍光材料（蛍光顔料、蛍光染料）、又はパステルカラー（原色ではなく、淡い、やわらかい中間色（水色、桃色、黄緑色等））の着色材料（顔料、染料）がさらに添加されている構成とすることもできる。
【００１８】
上記した実施の形態（１）に係る配線器具用プレート１によれば、プレート体３の樹脂部３ａの表面に、畜光性材料を含む塗膜層４が形成されているので、消灯後等の暗転時において、プレート体３が鮮やかに光る。そのため、暗転時においてもコンセントの位置を容易に把握することができ、暗闇の中でも、コンセントにプラグを簡単且つ安全に差し込むことができる。
【００１９】
また、暗闇での標識機能を果たすことができ、家屋や各種公共施設（病院、老人保養施設等）において、夜間等において、室内や施設内を移動する際の安全性を高めることができる。例えば、廊下や階段部分に設置される配線器具に適用すれば、電気を使うことなく、フットライトや常夜灯等の代わりとしての機能を果たすことができ、省エネにも寄与することができる。
【００２０】
また、消灯後等の暗転時において、プレート体３の表面が鮮やかに光るので、イルミネーション的な効果を演出することができ、消灯後等においても設置空間の装飾性をビジュアル的に高めることができる。
また、塗膜層４を形成する畜光性材料に、蛍光材料、又はパステルカラーの着色材料がさらに添加されている場合には、昼光下においては、鮮やかな蛍光色又は明るいパステルカラーを呈すことにより、暗転時のみでなく、昼光下においてもビジュアル的な効果を演出することができ、設置空間の装飾性や配線器具の視認性を高めることができる。
【００２１】
なお、上記実施の形態（１）では、プレート体３が、合成樹脂で形成されている場合について説明したが、プレート体３の材質は樹脂に限定されるものではなく、アルミ等の金属プレート、陶器やガラス製などのプレートなどにも適用することができ、これら各種材料で形成されたプレート体３の表面に、畜光性材料を含む塗膜層４を形成すればよい。また、別の実施の形態では、畜光塗料によりプレート体３の表面に文字や図柄を描いた塗膜層４を形成して、暗転時に、文字や絵柄を浮かび上がらせる構成とすることもできる。
【００２２】
図２は、実施の形態（２）に係る配線器具用プレートを示した図であり、（ａ）は正面図、（ｂ）は（ａ）におけるｂ−ｂ線断面図である。
図中１Ａは、室内の壁面に配設される埋込型スイッチの配線器具用プレートを示しており、配線器具用プレート１Ａは、埋込型スイッチ（図示せず）の機能面（スイッチの操作ハンドル）を露出させる複数の開口窓２Ａを有し、壁面に設けられた埋込型スイッチ用の埋込孔の開口面側を覆うプレート体３Ａで構成されている。
【００２３】
プレート体３Ａは、前記埋込孔に設置された、埋込型スイッチが取り付けられた取付枠（図示せず）の前面側に取り付けられ、前記埋込孔の開口面側を覆うようになっている。なお、プレート体３Ａの埋込孔の開口面側への取り付けは、例えば、プレート体３Ａの内側面に突設された係止爪（図示せず）を、前記埋込孔の開口部に配設されたプレート枠の係止爪受け部に係止させて取り付ける構成や、プレート体３Ａに図示しないビス孔を設けて、該ビス孔に挿着したビスの先端側を、前記取付枠に螺着する構成とすることができ、プレート体３Ａのプレート枠への取り付け形態は特に限定されない。
【００２４】
上記実施の形態（１）では、プレート体３の表面に畜光性材料を含む塗膜層４が形成されていたが、実施の形態（２）では、プレート体３Ａが、畜光性材料を含む樹脂（合成樹脂等の各種汎用プラスチックを含む）で形成されている点が相違している。
【００２５】
畜光性材料には、畜光顔料（アルミナ系酸化物の無機顔料等）の働きにより、太陽光や蛍光灯などの外部光を蓄えて発光する畜光塗料が採用されており、このような畜光塗料が混合された樹脂によりプレート体３Ａが形成されている。畜光性材料には、暗転時における発光時間が長い特性のもの（一晩中（６〜８時間程度）発光できる特性のもの）を採用することが好ましい。また、畜光塗料の色は、特に限定されるものではないが、昼光下におけるビジュアル的な効果を演出するために、畜光性材料に、黄色やオレンジ等の蛍光材料（蛍光顔料、蛍光染料）、又はパステルカラー（原色ではなく、淡い、やわらかい中間色）の着色材料（顔料、染料）がさらに添加されている構成が採用され得る。
【００２６】
上記実施の形態（２）に係る配線器具用プレート１Ａによれば、プレート体３Ａが、畜光性材料を含む樹脂（合成樹脂等の各種汎用プラスチックを含む）で形成されているので、消灯後等の暗転時において、プレート体が鮮やかに光る。そのため、上記実施の形態（１）に係る配線器具用プレート１と略同様の効果を得ることができる。
【００２７】
なお、上記実施の形態（２）では、プレート体３Ａが、畜光性材料を含む樹脂で形成されている場合について説明したが、別の実施の形態では、プレート体３Ａを、畜光性材料を含む陶器やガラスで形成することもできる。係る構成によれば、光沢感や質感が増し、高級感を呈するものとすることができる。
【００２８】
また、上記実施の形態（１）、（２）では、配線器具用プレートとして、埋込型のコンセントやスイッチ用のプレートを示したが、本発明に係る配線器具用プレートは、コンセントやスイッチの他に、通信機器（電話、ＬＡＮなど）用のモジュラージャック、ＴＶコンセント、家電製品の配線など各種の埋込型配線器具用のプレートに適用できる。
【００２９】
また、上記実施の形態（１）、（２）では、既存のプレート体と取り替えて使用する形態を説明したが、別の実施の形態では、既存のプレート体は取り外さずに、該既存のプレート体の上に重ねて配置できる形態にすることができる。その場合、既存のプレート体の上に重ねて配置するために、本発明におけるプレート体の内側面に両面テープを貼着しておき、既存のプレート体に接着する構成や、プレート体の外縁部に係止爪を設けておき、既存のプレート体の外縁部に係止させる構成などが採用され得る。
【符号の説明】
【００３０】
１、１Ａ  配線器具用プレート
２、２Ａ  開口窓
３、３Ａ  プレート体
３ａ  樹脂部
４  塗膜層
【図１】
0003166058.tif 000003
【図２】
0003166058.tif 000004